(57)【要約】【課題】カメラボディの電源状態および交換レンズの操作部材に対する制御の拡張性が高いレンズ鏡筒およびカメラボディを提供する。【解決手段】縮筒解除スイッチ２０４の操作に応じて電源オン信号をカメラボディ１００に送信すると共に、カメラボディ１００から、縮筒解除スイッチ２０４の操作によってカメラボディ１００を電源オン状態にすべきか否かを示す第１オン制御データ４１ａおよび第２オン制御データ４１ｂを受信するレンズ側制御部２０３と、最後に受信されたオン制御データが記憶されるＲＡＭ２１６と、カメラボディ１００の動作状態に依らずレンズ側制御部２０３を動作させるための電力の供給を受ける受電部２２０とを備え、レンズ側制御部２０３は、ＲＡＭ２１６に記憶されているオン制御データに基づいて、縮筒解除スイッチ２０４の操作に応じて電源オン信号を送信するか否かを決定する交換レンズ２００。【選択図】図１
2012141573.tif 000002
【特許請求の範囲】
【請求項１】
電源オフ状態、電源オン状態、および前記２つの状態とは異なるスリープ状態の３つの動作状態を有するカメラボディが着脱可能に取り付けられる取付手段と、
操作部材と、
前記操作部材の操作に応じて、前記カメラボディの動作状態を前記電源オン状態にする電源オン信号を前記カメラボディに送信する送信手段と、
前記カメラボディから、前記操作部材の操作によって前記カメラボディを前記電源オン状態にすべきことを示す第１信号を受信する第１受信手段と、
前記カメラボディから、前記操作部材の操作によって前記カメラボディを前記電源オン状態にすべきではないことを示す第２信号を受信する第２受信手段と、
前記第１受信手段により受信された前記第１信号と、前記第２受信手段により受信された前記第２信号とのうち、受信時期が後の方の信号に対応するデータが記憶される記憶手段と、
前記カメラボディから前記送信手段を動作させるための電力の供給を受ける受電手段と、を備え、
前記受電手段は、前記カメラボディの動作状態が前記３つの動作状態のいずれの状態であっても前記電力の供給を受け、
前記送信手段は、前記記憶手段に前記第１信号に対応するデータが記憶されている場合、前記操作部材の操作に応じて前記電源オン信号を送信し、前記記憶手段に前記第２信号に対応するデータが記憶されている場合、前記操作部材の操作に応じた前記電源オン信号の送信を禁止することを特徴とするアクセサリー。
【請求項２】
請求項１に記載のアクセサリーにおいて、
前記第１受信手段と前記第２受信手段とは、前記カメラボディから前記第１信号および前記第２信号を択一的に受信する単一の受信手段であることを特徴とするアクセサリー。
【請求項３】
請求項１または２に記載のアクセサリーにおいて、
被駆動状態が変化するフォーカシングレンズと、
第１の伝送路を介して前記カメラボディに前記フォーカシングレンズの被駆動状態を送信する被駆動状態送信手段を更に備え、
前記送信手段と、前記第１受信手段と、前記第２受信手段と、は前記第１の伝送路とは異なる第２の伝送路を介して前記カメラボディとの信号の授受を行うことを特徴とするアクセサリー。
【請求項４】
請求項１〜３のいずれか一項に記載のアクセサリーにおいて、
前記操作部材は複数存在し、
前記第１受信手段は、各操作部材毎に前記第１信号を受信し、
前記第２受信手段は、各操作部材毎に前記第２信号を受信し、
前記記憶手段は、各操作部材毎に前記データを記憶し、
前記送信手段は、前記記憶手段に記憶された各操作部材毎の前記データに基づき、各操作部材毎に前記電源オン信号を送信するか否かを決定することを特徴とするアクセサリー。
【請求項５】
請求項４に記載のアクセサリーにおいて、
前記記憶手段は、前記カメラボディが前記電源オフ状態になるとき、いずれか１つの操作部材についてのみ前記第１信号に対応する前記データを記憶し、他の操作部材については前記第２信号に対応する前記データを記憶することを特徴とするアクセサリー。
【請求項６】
請求項４または５に記載のアクセサリーにおいて、
前記記憶手段は、前記カメラボディが前記スリープ状態になるとき、全ての操作部材について前記第１信号に対応する前記データを記憶することを特徴とするアクセサリー。
【請求項７】
請求項４〜６のいずれか一項に記載のアクセサリーにおいて、
前記複数の操作部材はそれぞれ、結像光学系の焦点距離を変更するズームスイッチと、結像光学系のピントを調節するフォーカススイッチと、前記アクセサリーの鏡筒長を伸長する縮筒解除スイッチと、のいずれかであることを特徴とするアクセサリー。
【請求項８】
請求項４〜７のいずれか一項に記載のアクセサリーにおいて、
前記送信手段は、前記カメラボディに前記電源オン信号を送信した後で、当該電源オン信号を送信する要因となった前記操作部材を示す操作部材特定信号を前記カメラボディに送信することを特徴とするアクセサリー。
【請求項９】
電源オフ状態、電源オン状態、および前記２つの状態とは異なるスリープ状態の３つの動作状態を有するカメラボディが着脱可能に取り付けられる取付手段と、
操作部材と、
前記操作部材の操作に応じて、前記カメラボディの動作状態を前記電源オン状態にする電源オン信号を前記カメラボディに送信する送信手段と、
前記カメラボディから、前記操作部材の操作によって前記カメラボディを前記電源オン状態にすべきことを示す第１信号と、前記操作部材の操作によって前記カメラボディを前記電源オン状態にすべきではないことを示す第２信号との少なくとも一方を受信する受信手段と、
前記受信手段により受信された時期が最新である信号に対応するデータを記憶する記憶手段と、
前記カメラボディから前記送信手段を動作させるための電力の供給を受ける受電手段と、を備え、
前記受電手段は、前記カメラボディの動作状態が前記３つの動作状態のいずれの状態であっても前記電力の供給を受け、
前記送信手段は、前記記憶手段に前記第１信号に対応するデータが記憶されている場合、前記操作部材の操作に応じて前記電源オン信号を送信し、前記記憶手段に前記第２信号に対応するデータが記憶されている場合、前記操作部材の操作に応じた前記電源オン信号の送信を禁止することを特徴とするアクセサリー。
【請求項１０】
電源オフ状態、電源オン状態、および前記２つの状態とは異なるスリープ状態の３つの動作状態を有するカメラボディであって、
請求項１〜９のいずれか一項に記載のアクセサリーが着脱可能に取り付けられるボディ側取付手段と、
前記アクセサリーに前記第１信号を送信する第１送信手段と、
前記アクセサリーに前記第２信号を送信する第２送信手段と、
前記アクセサリーに前記電力の供給を行う送電手段と、
を備え、
前記第１送信手段は、前記カメラボディが前記スリープ状態になるとき又は前記電源オフ状態になるときに、前記アクセサリーに前記操作部材に関する前記第１信号および前記第２信号のうちのいずれか一方を送信することを特徴とするカメラボディ。
【請求項１１】
請求項１０に記載のカメラボディにおいて、
前記アクセサリーに複数の操作部材が設けられている場合には、前記第１送信手段は、前記カメラボディが前記スリープ状態になるときに、前記アクセサリーの所定の操作部材に関する前記第１信号を、前記アクセサリーに対して送信し、
前記アクセサリーに複数の操作部材が設けられている場合には、前記第２送信手段は、前記カメラボディが前記電源オフ状態になるときに、前記所定の操作部材に関する前記第２信号を、前記アクセサリーに対して送信することを特徴とするカメラボディ。
【発明の詳細な説明】
【技術分野】
【０００１】
本発明は、アクセサリーおよびカメラボディに関する。
【背景技術】
【０００２】
従来、交換レンズと、その交換レンズに給電するカメラボディからなるカメラシステムにおいて、交換レンズ側に設けられた操作部材の操作に応じてカメラ本体の低消費電力モードを解除する構成が知られている。例えば特許文献１に記載された一眼レフカメラは、交換レンズへの電源供給の有無に応じて、交換レンズに設けられている各種スイッチの接続先を、レンズＭＰＵとカメラＭＰＵとで切り替える。またボディからレンズへの給電状態が小給電状態であるとき、交換レンズ側の操作部材が操作されると、小給電状態から大給電状態に切り替える。
【先行技術文献】
【特許文献】
【０００３】
【特許文献１】特開２００９−１８６５４５号公報
【発明の概要】
【発明が解決しようとする課題】
【０００４】
特許文献１に記載されたカメラシステムでは、低消費電力モードにおいて交換レンズ側の操作部材が操作されると、低消費電力モードを一律に解除（大消費電力モードへ移行）する。しかしながらこのような一律の制御では、交換レンズの操作部材への操作に応じたカメラボディの電源状態（給電状態）の制御の拡張性が低いという問題がある。例えば、省電力化を図るには、レンズ側操作部材の操作で一律に解除するのではなく、操作部材の種類や操作部材が操作された状況などに応じて、解除する／しないを適宜切り替えることが好ましい場合がある。
【課題を解決するための手段】
【０００５】
請求項１に係る発明は、電源オフ状態、電源オン状態、およびそれら２つの状態とは異なるスリープ状態の３つの動作状態を有するカメラボディが着脱可能に取り付けられる取付手段と、操作部材と、操作部材の操作に応じて、カメラボディの動作状態を電源オン状態にする電源オン信号をカメラボディに送信する送信手段と、カメラボディから、操作部材の操作によってカメラボディを電源オン状態にすべきことを示す第１信号を受信する第１受信手段と、カメラボディから、操作部材の操作によってカメラボディを電源オン状態にすべきではないことを示す第２信号を受信する第２受信手段と、第１受信手段により受信された第１信号と、第２受信手段により受信された第２信号とのうち、受信時期が後の方の信号に対応するデータが記憶される記憶手段と、カメラボディから送信手段を動作させるための電力の供給を受ける受電手段と、を備え、受電手段は、カメラボディの動作状態が３つの動作状態のいずれの状態であっても電力の供給を受け、送信手段は、記憶手段に第１信号に対応するデータが記憶されている場合、操作部材の操作に応じて電源オン信号を送信し、記憶手段に第２信号に対応するデータが記憶されている場合、操作部材の操作に応じた電源オン信号の送信を禁止することを特徴とするアクセサリーである。
請求項９に係る発明は、電源オフ状態、電源オン状態、およびそれら２つの状態とは異なるスリープ状態の３つの動作状態を有するカメラボディが着脱可能に取り付けられる取付手段と、操作部材と、操作部材の操作に応じて、カメラボディの動作状態を電源オン状態にする電源オン信号をカメラボディに送信する送信手段と、カメラボディから、操作部材の操作によってカメラボディを電源オン状態にすべきことを示す第１信号と、操作部材の操作によってカメラボディを電源オン状態にすべきではないことを示す第２信号との少なくとも一方を受信する受信手段と、受信手段により受信された時期が最新である信号に対応するデータを記憶する記憶手段と、カメラボディから送信手段を動作させるための電力の供給を受ける受電手段と、を備え、受電手段は、カメラボディの動作状態が３つの動作状態のいずれの状態であっても電力の供給を受け、送信手段は、記憶手段に第１信号に対応するデータが記憶されている場合、操作部材の操作に応じて電源オン信号を送信し、記憶手段に第２信号に対応するデータが記憶されている場合、操作部材の操作に応じた電源オン信号の送信を禁止することを特徴とするアクセサリーである。
請求項１０に係る発明は、電源オフ状態、電源オン状態、およびそれら２つの状態とは異なるスリープ状態の３つの動作状態を有するカメラボディであって、請求項１〜９のいずれか一項に記載のアクセサリーが着脱可能に取り付けられるボディ側取付手段と、アクセサリーに第１信号を送信する第１送信手段と、アクセサリーに第２信号を送信する第２送信手段と、アクセサリーに電力の供給を行う送電手段と、を備え、第１送信手段は、カメラボディがスリープ状態になるとき又は電源オフ状態になるときに、アクセサリーに操作部材に関する第１信号および第２信号のうちのいずれか一方を送信することを特徴とするカメラボディである。
【発明の効果】
【０００６】
本発明によれば、交換レンズの操作部材への操作に応じたカメラボディの電源状態（給電状態）の制御の拡張性を高くすることができる。
【図面の簡単な説明】
【０００７】
【図１】本発明を適用した第１の実施の形態に係るレンズ交換式のカメラシステムを示した斜視図である。
【図２】本発明を適用した第１の実施の形態に係るレンズ交換式のカメラシステムを示した断面図である。
【図３】接点群１０２，２０２の詳細を示す模式図である。
【図４】第１の実施の形態に係るオン制御データの構造を示す図である。
【図５】第２の実施の形態に係るレンズ交換式のカメラシステムを示した斜視図である。
【図６】第２の実施の形態に係るオン制御データの構造を示す図である。
【図７】本発明を適用した第３の実施の形態に係るレンズ交換式のカメラシステムを示した斜視図である。
【図８】本発明を適用した第３の実施の形態に係るレンズ交換式のカメラシステムを示した断面図である。
【図９】第３の実施の形態に係るオン制御データの構造を示す図である。
【図１０】第４の実施の形態に係る操作部材特定データの構造を示す図である。
【発明を実施するための形態】
【０００８】
（第１の実施の形態）
図１は、本発明を適用したレンズ交換式のカメラシステムを示した斜視図である。なお、図１では本発明に係わる機器および装置のみを示し、それ以外の機器および装置については図示と説明を省略する。カメラシステム１は、カメラボディ１００と、カメラボディ１００に着脱可能な交換レンズ２００とから構成される。
【０００９】
カメラボディ１００には、交換レンズ２００が着脱可能に取り付けられるボディ側レンズマウント１０１が設けられている。また交換レンズ２００には、ボディ側のレンズマウント１０１に対応し、カメラボディ１００が着脱可能に取り付けられるレンズ側レンズマウント２０１が設けられている。交換レンズ２００が装着されると、レンズマウント１０１上に設けられた複数の接点から成る接点群１０２が、交換レンズ２００のレンズマウント２０１上に設けられた複数の接点から成る接点群２０２に接続される。接点群１０２，２０２は、カメラボディ１００から交換レンズ２００への電力供給、および、カメラボディ１００と交換レンズ２００との信号の送受信に利用される。
【００１０】
カメラボディ１００内のレンズマウント１０１後方には、被写体像を撮像し撮像信号を出力する撮像素子１０４が設けられる。カメラボディ１００の上方には、入力装置たるボタン１０７が設けられている。ユーザはボタン１０７を用いてカメラボディ１００に撮影指示や撮影条件の設定指示等を行う。
【００１１】
本実施形態のカメラボディ１００は、電源オフ状態、電源オン状態、および電源オフ状態と類似した電力消費状態ではあるがカメラボディ１００に設けられている各種操作部材への操作時におけるカメラ動作が異なっているスリープ状態、の３つの動作状態を有する。カメラボディ１００が電源オン状態ではないとき、ユーザはカメラシステム１を用いた撮影を行うことができない。これらの各動作状態については、後に詳述する。
【００１２】
本実施形態の交換レンズ２００は、ユーザの手動操作により焦点距離が可変に構成された、いわゆる手動ズームレンズである。焦点距離の変更は、交換レンズ２００に備わるズーム環２０５へのマニュアル操作（ユーザによる回転操作）により行われる。カメラボディ１００が電源オフ状態ではないとき、ユーザがズーム環２０５を回転させると、交換レンズ２００の焦点距離は広角側または望遠側に連続的に変化する。カメラボディ１００が電源オフ状態のときは、ズーム環２０５は不図示のロック機構によりロックされ、回転させることができない。
【００１３】
交換レンズ２００は、例えば特開２０１０−１１３１０８号公報に記載されているような、鏡筒の短縮機構を備える。カメラボディ１００が電源オフ状態のとき、交換レンズ２００は縮筒状態となり、鏡筒長Ｌは予め決められている最短長Ｌ０となる。カメラボディ１００が電源オフ状態から電源オン状態に切り替わると、交換レンズ２００は鏡筒を所定の初期使用状態の位置（例えばワイド端位置）まで伸長し、伸長状態となる。交換レンズ２００が伸長状態のとき、その鏡筒長Ｌは縮筒状態のときの鏡筒長Ｌ０よりも長い。伸長状態において、交換レンズ２００の焦点距離が変化すると鏡筒長Ｌも変化するが、このときの鏡筒長Ｌは、縮筒状態における鏡筒長Ｌ０よりも常に長い。以上に述べた交換レンズ２００の鏡筒長Ｌの変化は、交換レンズ２００が備えるズーム駆動部（後述）により行われる。
【００１４】
交換レンズ２００は、交換レンズ２００の縮筒（縮筒状態）を解除するためにユーザによって操作される操作部材である縮筒解除スイッチ２０４を備える。カメラボディ１００が電源オフ状態のとき、縮筒解除スイッチ２０４が押下されると、カメラボディ１００が電源オフ状態から電源オン状態に移行するとともに、交換レンズ２００の上述のズーム駆動部がカメラボディ１００から給電されて、交換レンズ２００を上述の伸長状態にする。すなわち、交換レンズ２００の縮筒（縮筒状態）が解除される。
【００１５】
図２は、本発明を適用したレンズ交換式のカメラシステムを示した断面図である。交換レンズ２００は、被写体像を結像させる結像光学系２１０を備える。結像光学系２１０は複数のレンズ２１０ａ〜２１０ｅにより構成されている。これら複数のレンズ２１０ａ〜２１０ｅには、被写体像のピント位置を制御するためのフォーカシングレンズ２１０ｄが含まれている。
【００１６】
交換レンズ２００の内部には、交換レンズ２００の各部の制御を司るレンズ側制御部２０３が設けられている。レンズ側制御部２０３は不図示のマイクロコンピュータおよびその周辺回路等から構成される。レンズ側制御部２０３には、レンズ側送受信部２１７、レンズ駆動部２１２、レンズ位置検出部２１３、ズーム駆動部２１４、ＲＯＭ２１５、およびＲＡＭ２１６が接続されている。
【００１７】
レンズ側送受信部２１７は、接点群１０２、２０２を介してカメラボディ１００との信号の送受信が可能である。なお、以下の説明において、レンズ側送受信部２１７が接点群１０２、２０２を介してカメラボディ１００へデータを送信するよう、レンズ側制御部２０３がレンズ側送受信部２１７を制御することを、「レンズ側制御部２０３がカメラボディ１００にデータを送信する」と表記することがある。データの受信についても同様である。
【００１８】
接点群２０２にはレンズ側送受信部２１７の他に、レンズ駆動部２１２および受電部２２０が接続されている。レンズ駆動部２１２および受電部２２０は、接点群１０２、２０２を介して、カメラボディ１００から所定の電力の供給を受ける。受電部２２０はこうして供給された電力を、レンズ駆動部２１２を除く交換レンズ２００内の各部へ供給する。カメラボディ１００から供給される電力については後に詳述する。
【００１９】
レンズ駆動部２１２は例えばステッピングモータ等のアクチュエータを有し、フォーカシングレンズ２１０ｄを駆動する。すなわち、フォーカシングレンズ２１０ｄは、レンズ駆動部２１２に駆動されることにより、その被駆動状態（フォーカシングレンズ２１０ｄの位置）が変化する。レンズ位置検出部２１３は、例えばレンズ駆動部２１２が有するステッピングモータに入力された信号のパルス数を計数して、フォーカシングレンズ２１０ｄの位置を検出し、レンズ位置信号を出力する。あるいは、交換レンズ２００に設けられた周知の距離エンコーダ等を用いてフォーカシングレンズ２１０ｄの位置を検出してもよい。
【００２０】
ズーム駆動部２１４は例えば超音波モータ等のアクチュエータを有し、鏡筒の縮筒および伸長を行う。カメラボディ１００が電源オフ状態から電源オン状態になるとき、ズーム駆動部２１４は鏡筒が上記所定の伸長状態になるよう各部を駆動する。また、カメラボディ１００が電源オフ状態になるとき、ズーム駆動部２１４は鏡筒が縮筒状態になるよう各部を駆動する。
【００２１】
ＲＯＭ２１５は不揮発性の記憶媒体であり、レンズ側制御部２０３が実行する所定の制御プログラムが予め記憶されている。ＲＡＭ２１６は揮発性の記憶媒体であり、レンズ側制御部２０３により各種データの記憶領域として利用される。
【００２２】
撮像素子１０４の前面には、シャッター１１５およびフィルター１１６が設けられている。結像光学系２１０を透過した被写体光は、シャッター１１５およびフィルター１１６を介して撮像素子１０４に入射する。シャッター１１５は、撮像素子１０４の露光状態を制御する。フィルター１１６は、光学的ローパスフィルターと赤外線カットフィルターを組み合わせた光学フィルターである。
【００２３】
カメラボディ１００内部には、カメラボディ１００の各部の制御を司るボディ側制御部１０３が設けられている。ボディ側制御部１０３は不図示のマイクロコンピュータ、ＲＡＭおよびその周辺回路等から構成される。ボディ側制御部１０３にはボディ側送受信部１１７が接続されている。ボディ側送受信部１１７は接点群１０２に接続されており、レンズ側送受信部２１７と信号の送受信を行うことができる。なお、以下の説明において、ボディ側送受信部１１７が接点群１０２、２０２を介して交換レンズ２００へデータを送信するように、ボディ側制御部１０３がボディ側送受信部１１７を制御することを、「ボディ側制御部１０３が交換レンズ２００にデータを送信する」と表記することがある。データの受信についても同様である。
【００２４】
接点群１０２にはボディ側送受信部１１７の他に、第１電源回路１２０および第２電源回路１２１が接続されている。第１電源回路１２０および第２電源回路１２１は、接点群１０２、２０２を介して、交換レンズ２００に所定の電力の供給を行う。カメラボディ１００から供給される電力については後に詳述する。
【００２５】
カメラボディ１００の背面には、ＬＣＤパネル等により構成される表示装置１１１が配置される。本実施形態において、いわゆるスルー画を表示するための撮像素子１０４の画像出力周期は毎秒６０フレーム（約１６ミリ秒につき１フレーム）である。すなわち、ボディ側制御部１０３には１秒間に６０回、撮像素子１０４から出力される１フレーム分の撮像信号が入力される。そしてボディ側制御部１０３は１秒間に６０回、１フレーム分の撮像信号に基づく被写体の画像を表示装置１１１に表示させる。なお表示装置１１１にはスルー画の他に、撮影条件等を設定するための各種のメニュー画面も表示される。
【００２６】
（自動焦点調節の説明）
ボディ側制御部１０３は、周知の自動焦点調節処理を実行可能に構成されている。自動焦点調節処理は、現在の焦点調節状態を検出する焦点検出処理と、この検出結果に応じてフォーカシングレンズ２１０ｄを駆動し焦点調節を行う焦点調節処理とを含む。自動焦点調節処理において、ボディ側制御部１０３は２種類の焦点検出処理を使い分けることが可能に構成されている。具体的には、ボディ側制御部１０３はいわゆる撮像面位相差検出方式の焦点検出処理と、いわゆるコントラスト検出方式の焦点検出処理とを使い分けることが可能である。ボディ側制御部１０３は、撮影状況や被写体の特性等に応じてこれら２種類の焦点検出処理を使い分ける。
【００２７】
ボディ側制御部１０３による撮像面位相差検出方式の焦点検出処理について説明する。本実施形態の撮像素子１０４は、フォーカス検出用の画素（焦点検出用画素と呼ぶ）を有する。フォーカス検出用画素は、特開２００７−３１７９５１号公報に記載されているものと同様のものである。ボディ側制御部１０３は、焦点検出用画素からの画素出力データを用いて周知の位相差検出演算を行うことにより、焦点検出処理を行う。なお、この位相差検出演算については、例えば特開２００７−３１７９５１号公報に記載されているものと同様のものであるため、説明を省略する。ボディ側制御部１０３は、この焦点検出処理により得られたデフォーカス量に基づいてフォーカシングレンズ２１０ｄを駆動させることにより、自動焦点調節を行う。
【００２８】
ボディ側制御部１０３によるコントラスト検出方式の焦点検出処理について説明する。ボディ側制御部１０３は、撮像素子１０４が有する撮像用画素からの画素出力データを用いて、いわゆる山登り法に基づく周知のコントラスト検出演算を行い、焦点評価値（コントラスト値）を算出する。ボディ側制御部１０３はこのコントラスト検出演算を、フォーカシングレンズ２１０ｄを後述する範囲で駆動させながら行い、焦点評価値がピークとなるフォーカシングレンズ２１０ｄの位置を検出することにより、自動焦点調節を行う。
【００２９】
（接点群１０２，２０２の説明）
図３は接点群１０２，２０２の詳細を示す模式図である。図３に示すように、接点群１０２にはＢＰ１〜ＢＰ１２の１２個の接点が存在する。また接点群２０２には、上記の１２個の接点にそれぞれ対応する、ＬＰ１〜ＬＰ１２の１２個の接点が存在する。
【００３０】
接点ＢＰ１および接点ＢＰ２は、カメラボディ１００内の第１電源回路１２０に接続されている。第１電源回路１２０は、接点ＢＰ１および接点ＢＰ２を介して、レンズ駆動部２１２を除く交換レンズ２００の各部（レンズ側送受信部２１７を含む）を動作させるための電力の供給を行う。接点ＢＰ１には上記の各部の動作電圧が、接点ＢＰ２には上記の動作電圧に対応する接地電圧がそれぞれ供給される。受電部２２０は第１電源回路１２０から上記の電力の供給を受ける。すなわち、受電部２２０は、カメラボディ１００からレンズ側送受信部２１７を含む交換レンズ２００の各部を動作させるための電力の供給を受ける。
【００３１】
以下の説明では、接点ＢＰ１および接点ＬＰ１により構成される信号線を、信号線Ｖ３３と呼ぶ。また、接点ＢＰ２および接点ＬＰ２により構成される信号線を、信号線ＧＮＤと呼ぶ。
【００３２】
接点ＢＰ３，ＢＰ４，ＢＰ５，およびＢＰ６は、ボディ側送受信部１１７に接続されている。これらの接点に対応する交換レンズ２００側の接点ＬＰ３，ＬＰ４，ＬＰ５，およびＬＰ６は、レンズ側送受信部２１７に接続されている。ボディ側送受信部１１７とレンズ側送受信部２１７は、これらの端子を介して、互いにデータの送受信を行う。ボディ側送受信部１１７とレンズ側送受信部２１７が行う通信の内容については、後に詳述する。
【００３３】
なお以下の説明では、接点ＢＰ３および接点ＬＰ３により構成される信号線を、信号線ＣＬＫと呼ぶ。同様に、接点ＢＰ４および接点ＬＰ４により構成される信号線を信号線ＢＤＡＴと、接点ＢＰ５および接点ＬＰ５により構成される信号線を信号線ＬＤＡＴと、接点ＢＰ６および接点ＬＰ６により構成される信号線を信号線ＲＤＹと呼ぶ。また、信号線ＣＬＫ，ＢＤＡＴ，ＬＤＡＴ，およびＲＤＹにより構成される伝送路を、第１伝送路３０１と呼び、第１伝送路３０１を通じて行われる通信を、コマンドデータ通信と呼ぶ。
【００３４】
接点ＢＰ７，ＢＰ８，ＢＰ９，およびＢＰ１０は、ボディ側送受信部１１７に接続されている。これらの接点に対応する交換レンズ２００側の接点ＬＰ７，ＬＰ８，ＬＰ９，およびＬＰ１０は、レンズ側送受信部２１７に接続されている。レンズ側送受信部２１７は、これらの端子を介して、ボディ側送受信部１１７にデータの送信を行う。ボディ側送受信部１１７とレンズ側送受信部２１７が行う通信の内容については、後に詳述する。
【００３５】
なお以下の説明では、接点ＢＰ７および接点ＬＰ７により構成される信号線を、信号線ＨＲＥＱと呼ぶ。同様に、接点ＢＰ８および接点ＬＰ８により構成される信号線を信号線ＨＡＮＳと、接点ＢＰ９および接点ＬＰ９により構成される信号線を信号線ＨＣＬＫと、接点ＢＰ１０および接点ＬＰ１０により構成される信号線を信号線ＨＤＡＴと呼ぶ。また、信号線ＨＲＥＱ，ＨＡＮＳ，ＨＣＬＫ，およびＨＤＡＴにより構成される伝送路を、第２伝送路３０２と呼び、第２伝送路３０２を通じて行われる通信を、ホットライン通信と呼ぶ。
【００３６】
接点ＢＰ１１および接点ＢＰ１２は、カメラボディ１００内の第２電源回路１２１に接続されている。第２電源回路１２１は、接点ＢＰ１２に、レンズ駆動部２１２の駆動電圧を供給する。すなわち、接点ＢＰ１２および接点ＬＰ１２からは、レンズ駆動部２１２の駆動電圧が供給される。第２電源回路１２１は、接点ＢＰ１１に、上記の駆動電圧に対応する接地電圧を供給する。すなわち、接点ＢＰ１１および接点ＬＰ１１からは、上記の駆動電圧に対応する接地電圧が供給される。
【００３７】
以下の説明では、接点ＢＰ１１および接点ＬＰ１１により構成される信号線を、信号線ＰＧＮＤと呼ぶ。また、接点ＢＰ１２および接点ＬＰ１２により構成される信号線を、信号線ＢＡＴと呼ぶ。
【００３８】
なお、接点ＢＰ１１および接点ＬＰ１１を流れる電流の最大値と最小値との差は、接点ＢＰ２および接点ＬＰ２を流れる電流の最大値と最小値との差よりも大きくなっている。これは、アクチュエータ等の駆動系を有するレンズ駆動部２１２が消費する電力が、交換レンズ２００内のレンズ側制御部２０３等の電子回路に比べて大きいこと、ならびに、フォーカスレンズ２１０ｂを駆動する必要がない場合にはレンズ駆動部２１２が電力を消費しないことに拠る。
【００３９】
（コマンドデータ通信の説明）
レンズ側送受信部２１７は、接点ＬＰ３〜ＬＰ６、すなわち信号線ＣＬＫ，ＢＤＡＴ，ＬＤＡＴ，およびＲＤＹから構成される第１伝送路３０１を介して、ボディ側送受信部１１７とコマンドデータ通信と称する通信を行う。コマンドデータ通信において、レンズ側送受信部２１７は、ボディ側送受信部１１７からの制御データの受信とボディ側送受信部１１７への応答データの送信とを並行して行う。
【００４０】
コマンドデータ通信では主に、初期化のための初期通信と、定期的に行われる定常通信と、必要に応じて行われる制御通信と、の３種類の通信が行われる。初期通信は、カメラボディ１００が電源オフ状態から電源オン状態に移行する際、および、カメラボディ１００が電源オン状態のときに交換レンズ２００を取り付けた際に行われる通信である。初期通信において、カメラボディ１００は交換レンズ２００から各種のレンズデータを受信し、交換レンズ２００に各種の初期化指示を送信する。なお、この初期通信時に、交換レンズ２００は、自身が備えているレンズ側操作部材に関する情報（どのような種類の操作部材を備えているかを示す情報）を、カメラボディ１００側に送信する。このレンズ側操作部材の種類情報は、本実施形態および後述する各実施形態において、カメラボディ１００側が作成して交換レンズ２００側に送信する「オン制御データ」（後述）を作成する際に使用される。
【００４１】
定常通信は、所定周期（本実施形態では１６ミリ秒）毎に行われる通信である。定常通信において、カメラボディ１００と交換レンズ２００とは、互いの動作状態を表すデータを交換する。制御通信は、カメラボディ１００が必要に応じて実行する通信であり、例えば交換レンズ２００にフォーカシングレンズ２１０ｄの駆動を指示するために行われる。
【００４２】
コマンドデータ通信において、信号線ＲＤＹの信号レベルはレンズ側送受信部２１７の通信可否を表している。レンズ側送受信部２１７は、通信できない状態である場合には接点ＬＰ６からＨ（Ｈｉｇｈ）レベルの信号を出力する。すなわち、信号線ＲＤＹの信号レベルをＨレベルにする。ボディ側送受信部１１７は、信号線ＲＤＹがＨレベルである場合、これがＬレベルになるまで通信を開始しない。また、通信中の次の処理を実行しない。
【００４３】
信号線ＲＤＹがＬ（Ｌｏｗ）レベルであれば、ボディ側送受信部１１７はコマンドデータ通信を開始することができる。コマンドデータ通信を開始する場合、ボディ側送受信部１１７は接点ＢＰ３からクロック信号を出力する。ボディ側送受信部１１７はこのクロック信号に同期して、接点ＢＰ４からデータ信号を出力する。また、信号線ＣＬＫにクロック信号が出力されると、レンズ側送受信部２１７はクロック信号に同期して接点ＬＰ５からデータ信号を出力する。ボディ側送受信部１１７およびレンズ側送受信部２１７は以上のように、第１伝送路３０１を用いてデータの送受信を行う。
【００４４】
（ホットライン通信の説明）
レンズ側送受信部２１７は、接点ＬＰ７〜ＬＰ１０、すなわち信号線ＨＲＥＱ，ＨＡＮＳ，ＨＣＬＫ，およびＨＤＡＴから構成される第２伝送路３０２を介して、ボディ側送受信部１１７とホットライン通信と称する通信を行う。ホットライン通信において、レンズ側送受信部２１７は、第２伝送路３０２を介してカメラボディ１００にフォーカシングレンズ２１０ｄの被駆動状態を送信する。
【００４５】
本実施形態のボディ側制御部１０３は、ホットライン通信を所定周期（本実施形態では１ミリ秒）毎に開始するように構成されている。この周期は、コマンドデータ通信を行う周期よりも短い。ボディ側送受信部１１７はホットライン通信の開始時、まず信号線ＨＲＥＱの信号レベルをＬレベルにする。レンズ側送受信部２１７は、この信号が接点ＬＰ７に入力されたことをレンズ側制御部２０３に通知する。レンズ側制御部２０３はこの通知に応じてレンズ位置データを生成する。具体的には、レンズ側制御部２０３はレンズ位置検出部２１３にフォーカスレンズ２１０ｂの位置を検出させ、検出結果を表すレンズ位置データを生成する。
【００４６】
レンズ側制御部２０３がレンズ位置データを生成すると、レンズ側送受信部２１７は信号線ＨＡＮＳの信号レベルをＬレベルにする。ボディ側送受信部１１７は、この信号が接点ＢＰ８に入力されたことに応じて、信号線ＨＣＬＫを介してレンズ側送受信部２１７にクロック信号を伝送する。レンズ側送受信部２１７はこのクロック信号に同期して、接点ＬＰ１０からレンズ位置データを表す信号を出力する。この信号の送信が完了すると、レンズ側送受信部２１７は信号線ＨＡＮＳの信号レベルをＨレベルにする。ボディ側送受信部１１７は、この信号が接点ＢＰ８に入力されたことに応じて、信号線ＨＲＥＱの信号レベルをＨレベルにする。ボディ側送受信部１１７およびレンズ側送受信部２１７は以上のように、第２伝送路３０２を用いてフォーカシングレンズ２１０ｄの被駆動状態の送受信を行う。
【００４７】
（カメラボディ１００の動作状態の説明）
前述の通り、本実施形態のカメラボディ１００は、電源オフ状態、電源オン状態、およびスリープ状態の３つの動作状態を有する。以下、これらの各動作状態について詳述する。
【００４８】
電源オフ状態は、消費電力が小さい動作状態である。電源オフ状態のとき、カメラボディ１００内および交換レンズ２００内の各部のうち、必要最低限の機能部にのみ電力が供給される。具体的には、カメラボディ１００についてはボディ側制御部１０３とボディ側送受信部１１７に電力が供給される。また、交換レンズ２００にはレンズ側制御部２０３とレンズ側送受信部２１７に必要最小限の電力が供給される。電源オフ状態のとき第２電源回路１２１はレンズ駆動部２１２に対し電力を供給しない。カメラボディ１００が電源オフ状態ではないとき（後述する電源オン状態またはスリープ状態のとき）、カメラボディ１００に設けられた不図示の電源スイッチが押下されると、ボディ側制御部１０３はその押し下げを検知して、カメラボディ１００を電源オフ状態に切り替える。
【００４９】
電源オン状態は、消費電力が大きい動作状態である。電源オン状態のとき、カメラボディ１００内および交換レンズ２００内の各部に電力が供給される。ユーザはカメラボディ１００が電源オン状態のとき、カメラシステム１を用いて撮影を行うことができる。電源オン状態のとき第２電源回路１２１はレンズ駆動部２１２に対し電力を供給する。カメラボディ１００が電源オフ状態のとき、カメラボディ１００に設けられた不図示の電源スイッチが押下されると、カメラボディ１００は電源オン状態になる。
【００５０】
スリープ状態は、上述の電源オフ状態と同様に、消費電力の少ない動作状態である。スリープ状態のとき、カメラボディ１００は表示装置１１１など、電源オン状態であれば電力の供給が行われるいくつかの機能部に、電力を供給しない。また、交換レンズ２００にはレンズ側制御部２０３とレンズ側送受信部２１７に電力が供給される。スリープ状態のとき第２電源回路１２１はレンズ駆動部２１２に対し電力を供給しない。カメラボディ１００が電源オン状態のとき、ユーザによる所定の操作（カメラボディ１００上に設けられている各種操作部材のうちの、幾つかの所定の操作部材への操作、例えばレリーズボタンやメニューボタンへの操作など）が所定時間（例えば１０秒）行われなかった場合に、カメラボディ１００はスリープ状態に切り替わる。このスリープ状態において、ユーザにより何らかの操作（上記所定の操作）が行われると、カメラボディ１００は電源オン状態に切り替わる。
【００５１】
このスリープ状態と上述の電源オフ状態との違いは、カメラボディ１００上の操作部材への上記所定の操作が加えられたことを検知して、カメラボディ１００を電源オン状態に移行するのがスリープ状態であり、上記所定の操作が加えられたとしても電源オン状態に移行せずに電源オフ状態を維持するのが電源オフ状態である。
【００５２】
なお、カメラボディ１００側のどの操作部材が操作されるとスリープ状態から電源オン状態に移行し、またどの操作部材が操作されると電源オフ状態から電源オン状態に移行するのか、を制御するための制御情報は、ボディ側制御部１０３の記憶部に予め記憶されている。ボディ側制御部１０３は、この制御情報を用いて、カメラボディ１００側の各操作部材に応じた上記状態の切り替え制御を行う。
【００５３】
なおスリープ状態と上述の電源オン状態との違いは、上記所定の操作がなされると、カメラボディ１００側がその操作に応じたカメラ動作を開始する（例えばレリーズ操作がなされると撮影動作を開始する）のが電源オン状態であり、一方、その所定の操作に応じたカメラ動作を開始する前に、一旦電源オン状態に移行するのがスリープ状態である。
【００５４】
上述のように、電源オン状態、電源オフ状態、およびスリープ状態はそれぞれ、少なくともカメラボディ１００側における状態が異なるものである。また給電状態に関しても、少なくとも電源オフ状態またはスリープ状態と、電源オン状態との間では異なるものである。
【００５５】
以上で説明したように、受電部２２０はカメラボディ１００の動作状態が３つの動作状態のいずれの状態であっても電力の供給を受ける。また電源オフ状態とスリープ状態とで交換レンズ２００への電力の供給状況はほぼ同様である。このため、交換レンズ２００側からでは、カメラボディ１００から交換レンズ２００への給電状態の情報だけでは、カメラボディ１００が電源オフ状態にあるのか、あるいはスリープ状態にあるのかを判別することができない。なお、以上で述べた各電力は、カメラボディ１００が内蔵する不図示のバッテリーを供給源とする。
【００５６】
（データ通信の説明）
本実施形態の交換レンズ２００は、縮筒解除スイッチ２０４を備える。カメラボディ１００が電源オフ状態の場合、レンズ側制御部２０３は、縮筒解除スイッチ２０４の押下に応じてカメラボディ１００に電源オン信号（後述）を送信する。電源オン信号は、カメラボディ１００の動作状態を電源オン状態にする信号である。つまり、カメラボディ１００が電源オフ状態のときに縮筒解除スイッチ２０４が押下されると、カメラボディ１００は電源オン状態となる。このとき、交換レンズ２００は縮筒状態から伸長状態になる。つまり、交換レンズ２００の縮筒が解除される。
【００５７】
他方、カメラボディ１００がスリープ状態や電源オン状態の場合、縮筒解除スイッチ２０４が押下されてもカメラボディ１００の動作状態は変化しないことが望ましい。これは、カメラボディ１００がスリープ状態や電源オン状態であれば、交換レンズ２００は伸長状態であり、縮筒を解除する必要がないためである。
【００５８】
しかしながら、本実施形態の交換レンズ２００は、前述の通りカメラボディ１００が電源オフ状態かスリープ状態かを判断することができない。そこでカメラボディ１００は、縮筒解除スイッチ２０４の押下によってカメラボディ１００を電源オン状態にすべきか否かを表すオン制御データ（後述）を、後述する所定のタイミングでレンズ側送受信部２１７に送信する。なお、このオン制御データ（図４のデータ）は、前述の初期通信時に交換レンズ２００から得たレンズ側操作部材の種類情報（本実施形態では縮筒解除スイッチ２０４とズーム環２０５の２種類）に基づき、ボディ側制御部１０３が作成し、且つボディ側制御部１０３内の記憶部に記憶されているものである。本実施形態では、縮筒解除スイッチ２０４という１種類の操作部材に関したオン制御データを作成し、記憶しているものとする。
【００５９】
図４は、第１の実施の形態に係るオン制御データの構造を示す図である。図４（ａ）には、縮筒解除スイッチ２０４の押下によってカメラボディ１００を電源オン状態にすべきことを示す第１オン制御データ４１ａが示されている。なお、図４では、未使用のデータ領域を「Ｎ／Ａ」と表記している。この表記がなされたデータ領域はボディ側制御部１０３およびレンズ側制御部２０３に影響を与えない。すなわち、このデータ領域はどのような値であってもよい。
【００６０】
第１オン制御データ４１ａは２バイトのデータであり、ボディ側送受信部１１７からレンズ側送受信部２１７にコマンドデータ通信によって送信される。第１オン制御データ４１ａの下位１バイトは、本データがオン制御データであることを表す識別用の整数４２（本実施形態では６０Ｈという１６進数）となっている。第１オン制御データ４１ａの８ビット目は、カメラボディ１００を電源オン状態にすべきか否かを表すフラグとなっており、０が否定、１が肯定を意味する。図４（ａ）に示す第１オン制御データ４１ａは、カメラボディ１００を電源オン状態にすべきことを表しているので、このフラグ４３ａは１となっている。
【００６１】
図４（ｂ）には、縮筒解除スイッチ２０４の押下によってカメラボディ１００を電源オン状態にすべきではないこと（換言すれば、電源オン状態への移行を禁止すること、あるいは電源オフ状態に維持すること）を示す第２オン制御データ４１ｂが示されている。第２オン制御データ４１ｂは第１オン制御データ４１ａと同様の構造を有するが、第１オン制御データ４１ａのフラグ４３ａに相当するビットであるフラグ４３ｂが０となっている点で、第１オン制御データ４１ａとは異なる。
【００６２】
ここで、上述した所定のタイミング（上述のオン制御データをレンズ側送受信部２１７に送信するタイミング）について述べる。ボディ側制御部１０３は、カメラボディ１００側が電源オフ状態に切り替わるときに、交換レンズ２００に縮筒解除スイッチ２０４に関する第１オン制御データ４１ａを送信する。また、ボディ側制御部１０３は、カメラボディ１００側がスリープ状態に切り替わるときに、交換レンズ２００に縮筒解除スイッチ２０４に関する第２オン制御データ４１ｂを送信する。
【００６３】
レンズ側制御部２０３は、第１オン制御データ４１ａと第２オン制御データ４１ｂと、のうち、後に受信された方のデータ（最新の受信データ）をＲＡＭ２１６に記憶（記憶更新）させる。そして、ＲＡＭ２１６に第１オン制御データ４１ａが記憶されている場合、縮筒解除スイッチ２０４の押下に応じて電源オン信号（後述）を送信する。他方、ＲＡＭ２１６に第２オン制御データ４１ｂが記憶されている場合、縮筒解除スイッチ２０４の押下を検知したとしても、電源オン信号（後述）を送信しない。
【００６４】
レンズ側制御部２０３の動作をより具体的に説明する。本実施形態において、縮筒解除スイッチ２０４は、レンズ側制御部２０３が有する入力ポートのうち１つに接続されている。この入力ポートは、入力信号の変化に応じてレンズ側制御部２０３に割り込みを発生させるか否かを制御可能に構成されている。レンズ側制御部２０３は、第１オン制御データ４１ａを受信すると、当該入力ポートが割り込みを発生させるよう設定し、第２オン制御データ４１ｂを受信すると割り込みを発生させないように設定する。従って、最後に第１オン制御データ４１ａを受信していた場合、縮筒解除スイッチ２０４の押下に応じて割り込みが発生する。この割り込みに応じて実行されるサブルーチンは、カメラボディ１００に電源オン信号（後述）を送信するように構成されているので、縮筒解除スイッチ２０４の押下に応じてカメラボディ１００に電源オン信号が送信されることとなる。他方、最後に第２オン制御データ４１ｂを受信していた場合には、割り込みが発生せず、電源オン信号が送信されることもない。
【００６５】
（電源オン信号の説明）
本実施形態において前述の電源オン信号は、信号線ＲＤＹを流れるＨレベルの信号である。カメラボディ１００が電源オフ状態およびスリープ状態のとき、信号線ＲＤＹはＬレベルとなっている。レンズ側制御部２０３はこの信号線ＲＤＹの信号レベルをＨレベルにすることにより、カメラボディ１００に電源オン信号を送信する。ボディ側制御部１０３は信号線ＲＤＹの信号レベルがＨレベルになると、カメラボディ１００の動作状態を電源オン状態にする。
【００６６】
上述した第１の実施の形態によるカメラシステムによれば、次の作用効果が得られる。（１）カメラボディ１００は、電源オフ状態、電源オン状態、およびスリープ状態の３つの動作状態を有する。レンズ側制御部２０３は、縮筒解除スイッチ２０４の操作に応じて、カメラボディ１００の動作状態を電源オン状態にする電源オン信号をカメラボディ１００に送信する。レンズ側制御部２０３は、カメラボディ１００から、縮筒解除スイッチ２０４の操作によってカメラボディ１００を電源オン状態にすべきことを示す第１オン制御データ４１ａを受信する。レンズ側制御部２０３は、カメラボディ１００から、縮筒解除スイッチ２０４の操作によってカメラボディ１００を電源オン状態にすべきではないことを示す第２オン制御データ４１ｂを受信する。ＲＡＭ２１６には、第１オン制御データ４１ａと第２オン制御データ４１ｂとのうち、時間的に後で受信されたデータが記憶される。受電部２２０は、カメラボディ１００からレンズ側制御部２０３を動作させるための電力の供給を受ける。受電部２２０は、カメラボディ１００の動作状態が３つの動作状態のいずれの状態であっても電力の供給を受け、レンズ側制御部２０３は、ＲＡＭ２１６に第１オン制御データ４１ａが記憶されている場合、縮筒解除スイッチ２０４の操作に応じてカメラボディ１００に電源オン信号を送信し、ＲＡＭ２１６に第２オン制御データ４１ｂが記憶されている場合、縮筒解除スイッチ２０４が操作されても電源オン信号を送信しない。このように、縮筒解除スイッチ２０４へのユーザ操作に応じて交換レンズ２００にどのような動作をさせるのかを、カメラボディ１００側から交換レンズ２００に対して指定（設定）できるように構成したので、交換レンズ２００の操作部材（縮筒解除スイッチ２０４）への操作に応じたカメラボディ１００の電源状態（給電状態）の制御の拡張性を高くすることができる。これは即ち、カメラボディ１００側で、交換レンズ２００側の操作部材への操作に伴う動作設定を変更することができる、ということである。
【００６７】
（２）レンズ側制御部２０３は、レンズ側送受信部２１７を介してカメラボディ１００から第１オン制御データ４１ａおよび第２オン制御データ４１ｂを択一的に受信する単一の制御部である。このようにしたので、交換レンズ２００内の部品点数を削減することができる。
【００６８】
（３）レンズ側制御部２０３は、第２伝送路３０２を介してカメラボディ１００にフォーカシングレンズ２１０ｄの被駆動状態を送信すると共に、第２伝送路３０２とは異なる第１伝送路３０１を介して、第１オン制御データ４１ａおよび第２オン制御データ４１ｂの受信と、電源オン信号の送信とを行う。このようにしたので、オン制御データや電源オン信号の授受に影響されずに、フォーカシングレンズ２１０ｄの被駆動状態を送信することができる。
【００６９】
（第２の実施の形態）
図５は、第２の実施の形態に係るレンズ交換式のカメラシステムを示した斜視図である。カメラシステム２は、カメラボディ４００と、カメラボディ４００に着脱可能な交換レンズ５００とから構成される。以下では、第１の実施の形態に係るカメラシステム１との差異を中心に説明する。なお第１の実施の形態と同等の機能を果たす構成については同一の符号を付して、ここでの説明を省略する。
【００７０】
本実施形態の交換レンズ５００は、いわゆるパワーフォーカス機構とパワーズーム機構とを備える。すなわち、フォーカシングレンズ２１０ｄの駆動とズーム駆動とを、交換レンズ５００内に設けられたアクチュエータ（例えば、図２に示すレンズ駆動部２１２やズーム駆動部２１４）により行う。交換レンズ５００はこれらの各駆動を操作するための操作部材として、縮筒解除スイッチ５０４に加えて、フォーカス環５０５と、パワーズームスイッチ５０６とを備える。
【００７１】
フォーカス環５０５は不図示のエンコーダに接続されている。フォーカス環５０５を回転されると、このエンコーダから回転量および回転方向に応じた信号が出力される。この信号は交換レンズ５００内のレンズ側制御部２０３に入力される。レンズ側制御部２０３は入力された信号に応じて上述のアクチュエータにフォーカシングレンズ２１０ｄを駆動させる。
【００７２】
パワーズームスイッチ５０６はいわゆるシーソースイッチである。つまり、パワーズームスイッチ５０６には択一的に押下可能なワイドスイッチ５０６ｗとテレスイッチ５０６ｔとが設けられている。ワイドスイッチ５０６ｗおよびテレスイッチ５０６ｔはそれぞれ交換レンズ５００内のレンズ側制御部２０３に接続されている。レンズ側制御部２０３はワイドスイッチ５０６ｗが押下されると上述のアクチュエータに広角側へのズーム駆動を指示し、テレスイッチ５０６ｔが押下されると望遠側へのズーム駆動を指示する。
【００７３】
本実施形態に係るオン制御データでは、カメラボディ４００の動作状態を電源オン状態にすべきか否かを、交換レンズ５００に設けられている上述の操作部材毎に表している。すなわち、レンズ側送受信部２１７は、交換レンズ５００に設けられている操作部材毎に、それらへの操作に応じてカメラボディ４００を電源オン状態にすべきか否かを表すデータを受信する。また、ＲＡＭ２１６は、操作部材毎にこのデータを記憶する。レンズ側制御部２０３は、ＲＡＭ２１６に記憶された操作部材毎のデータに基づき、操作部材毎に電源オン信号を送信するか否かを決定する。
【００７４】
図６は、第２の実施の形態に係るオン制御データの構造を示す図である。この図６に示すオン制御データは、第１の実施の形態と同様に、前述の初期通信時に交換レンズ５００から得たレンズ側操作部材の種類情報（本実施形態では縮筒解除スイッチ５０４とパワーズームスイッチ５０６とフォーカス環５０５の３種類）に基づき、ボディ側制御部１０３が作成し記憶されているものである。本実施形態では、縮筒解除スイッチ５０４とパワーズームスイッチ５０６とフォーカス環５０５の全３種類の操作部材に関したオン制御データを作成し、記憶しているものとする。
【００７５】
図６（ａ）には、縮筒解除スイッチ５０４についてのみカメラボディ４００を電源オン状態にすべきことを示す第３オン制御データ９１ａが示されている。第３オン制御データ９１ａは第１オン制御データ４１ａと同様の構造を有する。すなわち、第３オン制御データ９１ａは２バイトのデータであり、下位１バイトは本データがオン制御データであることを表す識別用の整数９２である。また、８ビット目は、縮筒解除スイッチ５０４の押下に応じてカメラボディ４００を電源オン状態にすべきか否かを表すフラグとなっている。第３オン制御データ９１ａは、このフラグ９３ａが１となっている。つまり、第３オン制御データ９１ａは、縮筒解除スイッチ５０４の押下に応じて、カメラボディ４００を電源オン状態にすべきであることを表している。
【００７６】
第３オン制御データ９１ａは更に、９ビット目がフォーカス環５０５に、１０ビット目がパワーズームスイッチ５０６にそれぞれ対応するフラグ９４ａ、９５ａとなっている。つまり、９ビット目は、フォーカス環５０５の回転に応じてカメラボディ４００を電源オン状態にすべきか否かを表すフラグ９４ａであり、１０ビット目は、パワーズームスイッチ５０６の操作に応じてカメラボディ４００を電源オン状態にすべきか否かを表すフラグ９５ａである。第３オン制御データ９１ａは、これらのフラグ９４ａ、９５ａがそれぞれ０となっている。つまり、第３オン制御データ９１ａは、フォーカス環５０５およびパワーズームスイッチ５０６の操作に応じて、カメラボディ４００を電源オン状態にすべきではないことを表している。
【００７７】
図６（ｂ）には、縮筒解除スイッチ５０４についてカメラボディ４００を電源オン状態にすべきではないことを示す第４オン制御データ９１ｂが示されている。第４オン制御データ９１ｂは第３オン制御データ９１ａと同様の構造を有する。すなわち、第４オン制御データ９１ｂは２バイトのデータであり、下位１バイトは本データがオン制御データであることを表す識別用の整数９２である。また、８ビット目〜１０ビット目は、縮筒解除スイッチ５０４、フォーカス環５０５、およびパワーズームスイッチ５０６にそれぞれ対応するフラグである。第４オン制御データ９１ｂは、フラグ９３ｂが０に、フラグ９４ｂおよびフラグ９５ｂがそれぞれ１になっている。つまり、第４オン制御データ９１ｂは、フォーカス環５０５およびパワーズームスイッチ５０６の操作に応じて、カメラボディ４００を電源オン状態にすべきであることを表している。
【００７８】
本実施形態のボディ側制御部１０３は、ボディ側が電源オフ状態になるときに、交換レンズ５００に第３オン制御データ９１ａを送信する。すなわち、カメラボディ４００が電源オフ状態になるとき、ＲＡＭ２１６には、縮筒解除スイッチ５０４についてのみ電源オン状態にすべきであることを表す第３オン制御データ９１ａが記憶される。これにより、カメラボディ４００が電源オフ状態のときに縮筒解除スイッチ５０４を押下操作すると、（交換レンズ５００からカメラボディ４００へ電源オン信号が送信されて）カメラボディ４００が電源オン状態になる。また、カメラボディ４００が電源オフ状態のときにフォーカス環５０５またはパワーズームスイッチ５０６を操作しても、（交換レンズ５００からカメラボディ４００へ電源オン信号が送信されずに）カメラボディ４００は電源オフ状態のままである。
【００７９】
また、本実施形態のボディ側制御部１０３は、スリープ状態になるときに、交換レンズ５００に第４オン制御データ９１ｂを送信する。すなわち、カメラボディ４００がスリープ状態になるとき、ＲＡＭ２１６には、フォーカス環５０５およびパワーズームスイッチ５０６についてのみ電源オン状態にすべきであることを表す第４オン制御データ９１ｂが記憶される。これにより、カメラボディ４００がスリープ状態のときにフォーカス環５０５またはパワーズームスイッチ５０６を押下操作すると、（交換レンズ５００からカメラボディ４００へ電源オン信号が送信されて）カメラボディ４００が電源オン状態になる。また、カメラボディ４００がスリープ状態のときに縮筒解除スイッチ５０４を操作しても、（交換レンズ５００からカメラボディ４００へ電源オン信号が送信されずに）カメラボディ４００は電源オフ状態のままである。
【００８０】
なお、各操作部材の操作に応じて電源オン信号を送信する方法は、第１の実施の形態と同様である。すなわち、各操作部材はレンズ側制御部２０３が有する複数の入力ポートにそれぞれ接続されており、レンズ側制御部２０３はＲＡＭ２１６に記憶されているオン制御データに応じて各入力ポートの割り込み発生の有無を設定する。
【００８１】
上述した第２の実施の形態によるカメラシステムによれば、第１の実施の形態によるカメラシステムで得られる作用効果に加えて、次の作用効果が得られる。
（１）交換レンズ５００は複数の操作部材を有し、レンズ側制御部２０３は操作部材毎に電源オン信号を送信するか否かを表す第３オン制御データ９１ａおよび第４オン制御データ９１ｂを受信する。ＲＡＭ２１６は各操作部材毎のオン制御データを記憶し、レンズ側制御部２０３はＲＡＭ２１６に記憶された各操作部材毎のオン制御データに基づき、各操作部材毎に電源オン信号を送信するか否かを決定する。このようにしたので、複数の操作部材について電源オン信号を送信するか否かを、拡張性高く設定することが可能となる。
【００８２】
（２）ＲＡＭ２１６は、カメラボディ４００が電源オフ状態になるとき、縮筒解除スイッチ５０４についてのみ電源オン信号を送信することを表す第３オン制御データ９１ａを記憶する。このようにしたので、カメラボディ４００を電源オフ状態から電源オン状態にできる操作部材が１つだけに絞り込まれ、交換レンズ５００の操作が明確になる。
【００８３】
（第３の実施の形態）
図７〜９は、第３の実施の形態を説明する図面である。図７は、第３の実施の形態に係るレンズ交換式のカメラシステムを示した斜視図である。この第３の実施の形態では、交換レンズ側のある特定の操作部材に関しては、カメラボディが電源オフ状態に切り換わるときであっても、あるいはスリープ状態に切り換わるときであっても、カメラボディは交換レンズに対して、ある特定の（同一の）オン制御データを送るカメラシステムを示す。
【００８４】
カメラシステム３は、カメラボディ６００と、カメラボディ６００に着脱可能な交換レンズ７００とから構成される。以下では、上述（第１、第２）の実施の形態に係るカメラシステム１、２との差異を中心に説明する。なお上述（第１、第２）の実施の形態と同等の機能を果たす構成については同一の符号を付して、ここでの説明を省略する。
【００８５】
本実施形態の交換レンズ７００は、上述の第１の実施形態と同様に、ユーザの手動操作により焦点距離が可変に構成された、いわゆる手動ズームレンズである。焦点距離の変更は、ズーム環７０５へのマニュアル操作（ユーザによる回転操作）により行われる。ユーザがズーム環７０５を回転させると、交換レンズ７００の焦点距離は、広角側または望遠側に連続的に変化する。つまり交換レンズ７００の焦点距離は、ズーム環７０５の操作によって、広角端位置と望遠端位置との間で任意に設定可能である。
【００８６】
また交換レンズ７００のズーム環７０５は、縮筒解除ボタン７０４の押圧操作を併用することによって（縮筒解除ボタン７０４を押圧操作しながらズーム環７０５を回転操作することによって）、レンズの焦点距離を広角端に移動させるための操作位置（回転操作位置）よりも更に広角側に回転操作することが可能である。この更なる回転操作により、レンズを、広角端位置よりも更に広角側に設けられている縮筒領域に移動可能である。縮筒領域へレンズを移動させることにより、第１の実施形態で既述したように、交換レンズ２００は縮筒状態となる。そして鏡筒長Ｌは予め決められている最短長Ｌ０となる。つまり縮筒解除ボタン７０４は、レンズが縮筒領域に存在しているときには、縮筒状態から伸長状態（広角端〜望遠端の何れかの位置）に移行することを物理的に禁止させる、機械的なロック機能を果たす構成の一部である。また縮筒解除ボタン７０４は、レンズが伸長状態にあるときには、その伸長状態から縮筒状態への移行を物理的に禁止させる、機械的なロック機能も果たす。
【００８７】
ユーザは、伸長状態にある交換レンズ７００を縮筒状態にするためには、広角端に対応した操作位置に存在するズーム環７０５を、縮筒解除ボタン７０４を押圧操作しながら更に広角側へ回転操作する必要がある。また逆に、ユーザは、縮筒状態にある交換レンズ７００を伸長状態にするためには、縮筒領域に対応した操作位置に存在するズーム環７０５を、縮筒解除ボタン７０４を押圧操作しながら望遠側へ回転操作する必要がある。
【００８８】
図８は、第３の実施形態におけるレンズ交換式のカメラシステムを示した断面図である。なお、第１の実施形態（図２）と同等の機能を果たす構成については同一の符号を付し、ここでの説明を省略する。
【００８９】
交換レンズ７００は、結像光学系２１０を備える。交換レンズ７００の内部には、レンズ側制御部２０３が設けられている。レンズ側制御部２０３には、レンズ側送受信部２１７、レンズ駆動部２１２、レンズ位置検出部２１３、後述するエンコーダ７１４、ＲＯＭ２１５、およびＲＡＭ２１６が接続されている。
【００９０】
ズーム環７０５は、エンコーダ７１４に接続されている。このエンコーダ７１４は、ズーム環７０５が回転すると、その回転量および回転方向に応じた信号を出力する。この信号は交換レンズ７００内のレンズ側制御部２０３に入力される。レンズ側制御部２０３は、このエンコーダ７１４からの信号により、ズーム環が存在している操作位置（ユーザに回転操作されている期間は、その操作中における現在位置）を把握することができる。
【００９１】
なお本実施形態では、ズーム環７０５の操作位置を検知するエンコーダ７１４を使用したが、このエンコーダ７１４の代わりにズーム環７０５の回転操作に連動してその光軸方向の位置が、縮筒領域と広角端位置の境界付近で連続的に変化するレンズの位置をモニタする検知部材を用いても良い。
【００９２】
図９は、第３の実施の形態に係るオン制御データの構造を示す図である。既述のように第３の実施形態では、カメラボディ６００が電源オフ状態に切り換わるときでも、或いはスリープ状態に切り換わるときでも、交換レンズ７００に対して同一のオン制御データ、即ち図９に示す信号が送られる。
【００９３】
この図９に示すオン制御データは、上記各実施形態と同様に、前述の初期通信時に交換レンズから得たレンズ側操作部材の種類情報（本実施形態ではズーム環７０５と縮筒解除ボタン７０４の２種類）に基づき、ボディ側制御部１０３が作成し記憶されているものである。本実施形態では、ズーム環７０５に関したオン制御データを作成し、記憶しているものとする。
【００９４】
以下、この図９の信号について説明する。なお、上述の各実施形態と同様の機能果たす部分については同一の符号を付して、ここでの説明を省略する。
【００９５】
図９には、ズーム環７０５への回転操作によってズーム環７０５の操作位置が伸長状態の操作位置と縮筒状態の操作位置との境界を跨ぐ（ズーム環７０５が縮筒領域の操作位置から伸長領域（広角端）の操作位置へ移行する）ことによって、カメラボディ６００を電源オン状態にすべきことを示す第１オン制御データ１４１ａが示されている。
【００９６】
オン制御データ１４１は２バイトのデータである。オン制御データ１４１の下位１バイトは、本データがオン制御データであることを表す識別用の整数１４２（本実施形態では１６０Ｈという１６進数）となっている。オン制御データ１４１の８ビット目は、カメラボディ６００を電源オン状態にすべきか否かを表すフラグとなっており、１が肯定を意味する。図９に示すオン制御データ１４１は、カメラボディ６００を電源オン状態にすべきことを表しているので、このフラグ１４３は「１」となっている。
【００９７】
ボディ側制御部１０３は、カメラボディ側が電源オフ状態に切り換わるときに、交換レンズ７００にズーム環７０５（縮筒解除ボタン７０４との併用）に関するオン制御データ１４１を送信する。また、ボディ側制御部１０３は、カメラボディ側がスリープ状態に切り換わるときにも同一のオン制御データ１４１を送信する。
【００９８】
レンズ側制御部２０３は、受信されたオン制御データ１４１をＲＡＭ２１６に記憶（記憶更新）させる。ＲＡＭ２１６にオン制御データ１４１が記憶されている場合に、縮筒解除ボタン７０４を押圧しながらズーム環７０５が回転操作され、ズーム環７０５の操作位置が縮筒領域の操作位置から伸長領域（広角端）の操作位置へ移行すると（エンコーダ７１４にの出力により、縮筒領域と伸長領域の境界を跨いだことが検知されると）、それに応じてレンズ側制御部２０３は、既述の電源オン信号をカメラボディ６００へ送信する。
【００９９】
なお、第３の実施形態では、ズーム環７０５の操作位置に関わらず、カメラボディ６００は、上述のタイミング（電源オフ状態へ切り換わるとき、スリープ状態に切り換わるとき）で、オン制御データ１４１を交換レンズ７００に送信する。このため、例えば、ズーム環７０５が伸長領域（例えば望遠端）に位置にあって且つカメラボディ６００が電源オフ状態になった場合でも、次に述べるような操作を行うことで、カメラに対して起動をかけられる（電源オン状態へ移行させることが出来る）。すなわち、ユーザは、ズーム環７０５を望遠端から広角側へ回転操作して（縮筒解除ボタン７０４を押圧しながらズーム環７０５を回転操作して）縮筒領域の操作位置まで一旦移動させる。その後で、ズーム環７０５を今度は望遠側に回転操作して縮筒領域から伸長領域へ移動させる。このようなズーム環７０５および縮筒解除ボタン７０４への操作により、カメラボディに起動をかけられる。
【０１００】
上述した第３の実施の形態のカメラシステムによれば、次の作用効果が得られる。
（１）レンズ側の操作部材（ズーム環７０５）に対し、ある特定の（特別な）操作（具体的には縮筒領域から伸長領域への移行操作、すなわち縮筒解除ボタン７０４を押圧しながらのズーム環７０５に対する繰り出し回転操作）を加えると、カメラ側の電源状態（電源オフ状態、スリープ状態）に関わらず、必ずカメラ側に対して起動をかけること（電源オン状態へ移行させること）ができる。このように複数の操作部材に対する特別な操作によってのみ電源オンするようになっているので、換言すれば交換レンズの操作部材に対する不用意な操作ではカメラを電源オンできないようになっているので、不必要な起動回数が減って省電力なカメラシステムを得ることが出来る。
【０１０１】
（第４の実施の形態）
本発明の第４の実施の形態に係るカメラシステムは、第２の実施の形態と同様の構成を有するが、カメラボディに電源オン信号を送信した後の通信において、カメラボディに当該電源オン信号を送信した理由（カメラを起動せしめた「きっかけ」（レンズ側の操作）が何であったかを特定する情報）をカメラボディに対して送信する点が、第２の実施の形態と異なる。なお以下の説明において、第２の実施の形態と同一の箇所については第２の実施の形態と同一の符号を付し、説明を省略する。
【０１０２】
図１０は、操作部材特定データの構造を示す図である。本実施形態のボディ側制御部１０３は、カメラボディ１００が電源オフ状態またはスリープ状態から電源オン状態に移行する際に、コマンドデータ通信により前述の初期通信を行う。初期通信においてボディ側制御部１０３は、交換レンズ５００（レンズ側制御部２０３）から各種のレンズデータと共に、図１０に示す操作部材特定データを受信する。換言すれば、レンズ制御部２０３はコマンドデータ通信による初期通信において、図１０に示す操作部材特定データをボディ制御部１０３に対して送信する。
【０１０３】
図１０に示す操作部材特定データは、交換レンズ５００が有する上述の各種の操作部材（縮筒解除スイッチ５０４、フォーカス環５０５、およびパワーズームスイッチ５０６）のいずれかを特定するデータである。レンズ側制御部２０３は、カメラボディ１００を電源オン状態に移行させるための電源オン信号を送信した後の初期通信において、この操作部材特定データをカメラボディ１００に送信する。これによりレンズ制御部２０３は、レンズ側のどの操作部材が操作されたことによりカメラボディ１００が電源オン状態に移行させられたのか、をカメラボディに通知する。
【０１０４】
操作部材特定データは２バイトのデータであり、ボディ側送受信部１１７からレンズ側送受信部２１７にコマンドデータ通信によって送信される。操作部材特定データの下位１バイトは、上述したオン制御データ等と同様に、本データが操作部材特定データであることを表す識別用の整数であり、説明を省略する。
【０１０５】
操作部材特定データは、８ビット目が縮筒解除スイッチ５０４に、９ビット目がフォーカス環５０５に、１０ビット目がパワーズームスイッチ５０６にそれぞれ対応するフラグとなっている。例えば図１０（ａ）に示す第１操作部材特定データ１５１ａは、８ビット目のフラグ１５３ａが１となっており、９ビット目のフラグ１５４ａと１０ビット目のフラグ１５５ａは０となっている。つまり、この第１操作部材特定データ１５１ａは、縮筒解除スイッチ５０４が押下されたことに起因してカメラボディ１００に電源オン信号が送信されたことを表している。換言すれば、第１操作部材特定データ１５１ａは、縮筒解除スイッチ５０４を特定するデータである。レンズ側制御部２０３は、縮筒解除スイッチ５０４が押下されたことによりカメラボディ１００に電源オン信号を送信した場合には、図１０（ａ）の第１操作部材特定データ１５１ａをカメラボディ１００に送信する。
【０１０６】
他方、図１０（ｂ）に示す第２操作部材特定データ１５１ｂは、８ビット目のフラグ１５３ｂと１０ビット目のフラグ１５５ｂは０であり、９ビット目のフラグ１５４ｂが１となっている。つまり第２操作部材特定データ１５１ｂは、フォーカス環５０５を特定するデータであり、フォーカス環５０５が操作されたことが原因でカメラボディ１００に電源オン信号が送信されたことを表している。レンズ側制御部２０３は、フォーカス環５０５の操作に応じてカメラボディ１００に電源オン信号を送信した場合、その後の初期通信において、図１０（ｂ）に示す第２操作部材特定データ１５１ｂをカメラボディ１００に送信する。
【０１０７】
なお、カメラボディ１００に設けられた不図示の電源スイッチが押下された場合など、レンズ側制御部２０３により電源オン信号が送信されることなくカメラボディ１００が電源オン状態になった場合には、レンズ側制御部２０３は初期通信において上述の操作部材特定データ（図１０）を送信しない。これは、カメラボディ１００側の操作に起因して電源オン状態になった場合、ボディ側制御部１０３は独自に電源オン状態となった原因を知ることができるため（カメラボディは、カメラボディ側に設けられている操作部材に対する操作の有無を検知できるように構成しているため）である。なお、この場合において、レンズ側制御部２０３が、初期通信において８ビット目〜１０ビット目が全て０となっている操作部材特定データを送信するようにしてもよい。
【０１０８】
ボディ側制御部１０３は、初期通信において受信した操作部材特定データにより、電源オン状態となった原因の操作部材（カメラボディの起動のきっかけとなったレンズ側の操作部材）を特定する。そして、特定した操作部材の種類に応じて、交換レンズ５００の初期化制御を切り替える。具体的には、縮筒解除スイッチ５０４の操作により上記電源オン状態となった場合、ボディ側制御部１０３は初期通信において、レンズ側制御部２０３に対して縮筒状態から伸長状態に移行するよう指示する（コマンドを送信する）。他方、他の操作部材（フォーカス環５０５またはパワーズームスイッチ５０６）により上記電源オン状態になるケースでは、カメラボディ１００はスリープ状態から電源オン状態になったという状況にある。ここで「スリープ状態」のときの交換レンズ５００は、既に伸長状態にある。そこでボディ側制御部１０３は、このケースの場合の初期通信では、レンズ側制御部２０３に対して、縮筒状態から伸長状態に移行せしめる指示を出さない（コマンドを送信しない）。
【０１０９】
上述した第４の実施の形態のカメラシステムによれば、次の作用効果が得られる。
（１）レンズ側制御部２０３は、カメラボディ１００に電源オン信号を送信した後、当該電源オン信号を送信する原因となった操作部材を、レンズ側に設けられた操作部材（縮筒解除スイッチ５０４、フォーカス環５０５、およびパワーズームスイッチ５０６）の中から特定する「操作部材特定データ」をカメラボディ１００に送信する。このようにしたので、ボディ側制御部１０３は、レンズ側制御部２０３により電源オン状態となった場合に、電源オン状態となった理由を知ることができる。また、ボディ側制御部１０３は、その理由に応じて電源オン状態となった後の制御（例えば初期化制御）を切り替えることができ、より使い勝手のよいカメラシステムを提供することができる。
【０１１０】
次のような変形も本発明の範囲内であり、変形例の一つ、もしくは複数を上述の実施形態と組み合わせることも可能である。
【０１１１】
（変形例１）
各操作部材の操作に応じて電源オン信号を送信する方法は、上述した方法に限定されない。例えば、各操作部材が接続されている各入力ポートについて割り込みの発生の有無を設定するのではなく、どの入力ポートについても常に割り込みが発生するようにしてもよい。この場合、割り込みに応じて実行されるサブルーチンでは、割り込みの発生要因とＲＡＭ２１６に記憶されているオン制御データとを比較することにより、電源オン信号を送信するか否かを判定する処理が実行される。
【０１１２】
（変形例２）
第１の実施の形態において、交換レンズ２００が有する操作部材は、縮筒解除スイッチ以外の操作部材でもよい。例えば、第２の実施の形態に示したパワーズームスイッチ５０６と同様の操作部材であってもよいし、フォーカス環５０５と同様の操作部材であってもよい。
【０１１３】
（変形例３）
オン制御データの送信パターンは、上述の各実施例で挙げたもの以外であってもよい。例えば第２の実施の形態において、第４オン制御データ９１ｂの代わりに、フラグ９３ｂ〜９５ｂが全て１となっている制御データがボディ側制御部１０３により送信されるようにしてもよい。
【０１１４】
また、オン制御データの内容（上述のフラグ「０」、「１」）を、ボディ側制御部１０３に記憶されている内容（ドラフト生成した設定内容）から別の設定内容に、ユーザーが任意に変更できるように、カメラボディを構成しても良い。その場合、具体的には、カメラボディ側でユーザーが任意に設定変更可能なメニュー項目の中に、オン制御データの項目を盛り込んでおき、メニュー画面の表示時に設定変更可能な項目として、そのオン制御データ（上記ドラフトの設定内容）をカメラボディ側の表示部（背面モニター）に表示させる。ユーザーは、メニュー画面に表示されている上記ドラフトの設定内容（スリープ状態、電源オフ状態の各状態時に、もし操作されたらカメラボディを電源オン状態に切り換えさせるか否かを示す設定内容であって、且つレンズ側の操作部材毎にその設定がなされている設定内容）を変えたいときには、カメラ側の操作部材を操作してその設定内容を個別に（レンズ側の各操作部材別に、且つ電源オフ状態やスリープ状態別に）変更できる。
【０１１５】
なお、既述したように、交換レンズにはどのようなレンズ側操作部材が存在するかを示す情報を、交換レンズ装着時に（交換レンズとカメラボディとの間で行われる初期通信時に）、交換レンズ側から受信しておくようカメラボディを構成している。このため、上記メニュー画面に、そのレンズ側操作部材に関するオン制御データの設定内容のみを表示させて、且つ任意に設定変更可能とさせるように、このカメラボディ−交換レンズシステムおよびカメラボディを構成しても良い。
【０１１６】
（変形例４）
上記実施形態では、交換レンズ側の操作部材の種類情報を、初期通信で交換レンズからカメラボディ側に送信しているが、予め（カメラボディの工場出荷時に）カメラボディ内にそれらの情報（種類情報）を記憶させておくようにしても良い。この場合、ボディ側制御部１０３の記憶部内に、そのボディに装着可能な複数の交換レンズのタイプ情報と、そのタイプ毎にそれら交換レンズが備えている操作部材の情報と、それら操作部材に関するオン制御データとを記憶しておくようにしても良い。この場合には、まずカメラボディは、前述の初期通信時に、交換レンズから、交換レンズのタイプに関する情報を取得する。そしてカメラボディ側は、取得したタイプ情報と、ボディ側の記憶部に存在するタイプ情報とを比較し、一致するタイプ情報に対応するオン制御データを使用する。
【０１１７】
（変形例５）
オン制御データにより制御される操作部材は、第２の実施形態で説明した３つ以外のものであってもよい。例えば、マニュアルフォーカスとオートフォーカスとを切り替えるスイッチであってもよいし、ぶれ補正機構の要否を指定するスイッチであってもよい。また、操作部材の数は３つより多くてもよいし、少なくても（例えば、上述のパワーズームスイッチ５０６の１つだけであっても）よい。
【０１１８】
（変形例６）
第２の実施の形態において、１つのオン制御データが、複数の操作部材に関するフラグを含むようにした。オン制御データの構成は、このような構成に限定されない。例えば、第１の実施の形態における第１オン制御データ４１ａおよび第２オン制御データ４１ｂのように、１つのオン制御データが１つの操作部材に対応するようにし、複数のオン制御データにより複数の操作部材に関するフラグを制御するようにしてもよい。
【０１１９】
（変形例７）
上述の第３の実施形態では、カメラボディが電源オフ状態またはスリープ状態に切り換わるときにズーム環７０５が位置していた操作位置（以降では「カメラ電源オフ時のズーム環位置」と称す）に関わらず、必ず上述のオン制御データ１４１を交換レンズ７００に送るように構成していた。しかしながら、「カメラ電源オフ時のズーム環位置」に応じて、カメラボディが交換レンズに対して送信するオン制御データの内容を異ならせるようにしても良い。
【０１２０】
例えば、「カメラ電源オフ時のズーム環位置」が伸長領域にある場合には、オン制御データ１４１とは反対の意味のデータ（即ち、オン制御データ１４１の８ビット目を、否定を意味する「０」フラグとなっているデータ）を交換レンズに送信する。この場合には、ズーム環７０５および縮筒解除ボタン７０４に対して上述の操作（ボタン７０４を押圧しながら、ズーム環７０５を縮筒領域から伸長領域へ回転操作）を行っても、カメラは起動しない。
【０１２１】
一方、「カメラ電源オフ時のズーム環位置」が、縮筒領域にある場合には、上述のオン制御データ１４１（図９）を交換レンズに送信する。
【０１２２】
（変形例８）
上記の各実施形態において、カメラボディ側にマニュアルフォーカス用の操作部材を設けておき、カメラ側の操作でマニュアルフォーカスを行うようにしても良い。この場合、カメラボディ側のマニュアルフォーカス操作部材が操作されると、その操作に応じた信号が既述のコマンドデータ通信によって交換レンズ側のレンズ側制御部２０３に送信される。レンズ側制御部２０３が、この信号に応じて、レンズ駆動部２１２を介してフォーカシングレンズ２１０ｄを駆動させることで、マニュアル焦点調節がなされる。
【０１２３】
（変形例９）
フォーカシングレンズ２１０ｄを駆動するためのアクチュエータを使用しない、純粋なマニュアルフォーカス操作環を、交換レンズ側の操作部材に構成しても良い。この変形例の場合、既述の実施形態で説明したような「オン制御データ」と同様な構成のデータを使って、次のように、互いに異なる内容の「オン制御データ」を送り分けるようにしても良い。
【０１２４】
具体的には、カメラボディが電源オフ状態に切り換わるときには、ボディ側制御部１０３は、「交換レンズのマニュアルフォーカス環が操作されたとしてもカメラを電源オン状態に移行させない」ように交換レンズのレンズ側制御部２０３を制御せしめるオン制御データを、交換レンズに送信する。
【０１２５】
一方、カメラボディがスリープ状態に切り換わるときには、ボディ側制御部１０３は、「交換レンズのマニュアルフォーカス環が操作されるとカメラを電源オン状態に移行させる」ように交換レンズのレンズ側制御部２０３を制御せしめるオン制御データを、交換レンズに送信する。
【０１２６】
交換レンズ側のレンズ側制御部２０３は、カメラボディ側が電源オフ状態の時には、マニュアルフォーカス環が操作されても、既述の電源オン信号をカメラボディに送信しない。また交換レンズ側のレンズ側制御部２０３は、カメラボディ側がスリープ状態の時に、マニュアルフォーカス環が操作されると、電源オン信号をカメラボディに送信する。
【０１２７】
（変形例１０）
第４の実施の形態において、「操作部材特定データ」の内容に応じてボディ側制御部１０３が行う処理は、上述した交換レンズを伸長状態へ移行させる指示コマンドの出力有無とは異なる処理であってもよい。例えば、交換レンズ７００が、カメラボディ内の記憶媒体に記憶されている画像を再生せしめる再生ボタン等の操作部材を有している場合に、この再生ボタンの押下によりカメラボディ１００が電源オン状態になった場合には、電源オン状態になった直後に、カメラボディ１００が既存の撮影画像を再生する再生モード（換言すれば、撮影が行えないモード）に移行するようにしてもよい。
【０１２８】
また、フォーカスレンズ２１０ｂの位置を記憶させ、記憶した位置を後から呼び出して当該位置にフォーカスレンズ２１０ｂを駆動させることにより、ピント位置を素早く合わせることができる、いわゆるフォーカスプリセット機能を交換レンズ７００に持たせる場合には、記憶されている位置にフォーカスレンズ２１０ｂを駆動させるフォーカスプリセットボタンを交換レンズ７００に設けることになる。このような場合において、フォーカスプリセットボタンの押下によりカメラボディ１００が電源オン状態になった場合には、電源オン状態になった直後に、フォーカスレンズ２１０ｂを記憶されている位置に駆動させるようにボディ側制御部１０３を構成することが可能である。
【０１２９】
その他、フォーカス環５０５の操作により電源オン状態になった場合には、電源オン状態になった直後に、カメラボディ１００をマニュアルフォーカスモードに移行させ、自動焦点調節機能を利用できないようにすることもできる。これ以外にも、交換レンズ７００に設けられた操作部材に応じて、ボディ側制御部１０３に種々の処理を行わせることが可能である。
【０１３０】
（変形例１１）
本発明は、上述した各実施の形態のように、カメラボディに着脱可能に取り付けられる交換レンズに適用することは勿論、カメラボディに着脱可能な他のアクセサリーに対して適用することも可能である。例えば、操作部材を有し交換レンズを着脱可能な中間アダプタ（いわゆるマウントアダプタやテレコンバージョンレンズ、ワイドコンバージョンレンズ等）に本発明を適用してもよい。
【０１３１】
本発明の特徴を損なわない限り、本発明は上記実施の形態に限定されるものではなく、本発明の技術的思想の範囲内で考えられるその他の形態についても、本発明の範囲内に含まれる。
【符号の説明】
【０１３２】
１、２、３…カメラシステム、１００、４００、６００…カメラボディ、１０３…ボディ側制御部、１１７…ボディ側送受信部、１２０…第１電源回路、１２１…第２電源回路、２００、５００、７００…交換レンズ、２０３…レンズ側制御部、２０４、５０４…縮筒解除スイッチ、２０５、７０５…ズーム環、２１７…レンズ側送受信部、２２０…受電部、３０１…第１伝送路、３０２…第２伝送路、５０５…フォーカス環、５０６…パワーズームスイッチ
【図１】
2012141573.tif 000003
【図２】
2012141573.tif 000004
【図３】
2012141573.tif 000005
【図４】
2012141573.tif 000006
【図５】
2012141573.tif 000007
【図６】
2012141573.tif 000008
【図７】
2012141573.tif 000009
【図８】
2012141573.tif 000010
【図９】
2012141573.tif 000011
【図１０】
2012141573.tif 000012